(57)【要約】【課題】免震基礎装置の改良に係り部品点数の削減と組み立ての容易性を図り且つ強度の増大を図ること。【解決手段】構台ＨＳ間に複数の横長金属板を縦方向へ重ね合わせ連結した本体Ａを取り付け、本体Ａを支持する複数の横長金属板を縦方向へ重ね合わせた支持体Ｂと、支持体Ｂと本体Ａとの間に介挿する複数の支持体ＢＳを設けると共に支持体ＢＳに形成している斜面同士を圧接させて本体Ａに取り付け、本体Ａと支持体Ｂにシャフトリード長孔ＳＲを設けシャフトＳを遊嵌して支持体Ｂを本体Ａに摺動可能に連結し、コンクリ−ト基礎にアンカーボルトＡＢで固着する基礎ベースプレートＣＳ上に支持体ベースプレートＣを水平方向へ摺動可能に連結すると共に支持体ベースプレートＣの上面に支持体Ｂを立設し、基礎ベースプレートＣＳから伝わる上下動と水平動の全方位にわたる震動を免震した。【選択図】        図３
2010156101.tif 000002
【特許請求の範囲】
【請求項１】
木造及び鉄骨造建築物の土台を載せる複数個の構台ＨＳをコンクリ−ト基礎の上方に離隔して設け、対向する構台ＨＳ間に複数の横長金属板を縦方向へ重ね合わせ連結した本体Ａを取り付け、本体Ａの外側面に本体Ａを支持する複数の横長金属板を縦方向へ重ね合わせた支持体Ｂと、本体Ａと支持体Ｂに介挿する支持体ＢＳを取り付け、複数の支持体ＢＳに斜面を設け且つ斜面同士を圧接させ、本体Ａと支持体Ｂにシャフトリード長孔ＳＲを設けシャフトＳを嵌挿して支持体Ｂを本体Ａへ摺動可能に連結し、コンクリ−ト基礎にアンカーボルトＡＢで固着する基礎ベースプレートＣＳ上に支持体ベースプレートＣを水平方向へ摺動可能に連結すると共に支持体ベースプレートＣの上面に支持体Ｂを立設し、基礎ベースプレートＣＳから伝わる上下動と水平動の全方位にわたる震動を免震する免震基礎装置。
【請求項２】
支持体ベースプレートＣを基礎ベースプレートＣＳにリードアンカーＬＡで摺動可能に連結し且つ、リードアンカーＬＡを遊嵌するリードアンカー長孔ＬＡＨを支持体ベースプレートＣのＹ方向へ設けると共に基礎ベースプレートＣＳのＸ方向へ設け、リードアンカーＬＡがリードアンカー長孔ＬＡＨ内を遊動することによりＸ方向とＹ方向へわたる全方位への水平動を吸収して免震することを特徴とする請求項１記載の免震基礎装置。
【請求項３】
Ｘ方向とＹ方向の強震に対して支持体ベースプレートＣと基礎ベースプレートＣＳの間に設けた空所に緩挿している丸鋼バネＳＰの緩衝増幅作用により免震することを特徴とする請求項１又は請求項２記載の免震基礎装置。
【発明の詳細な説明】
【技術分野】
【０００１】
本発明は木造及び鉄骨造建築物の免震基礎装置に関する。
【背景技術】
【０００２】
本発明は、本願出願人の先の登録に係る免震基礎装置（特許文献１）がある。
【特許文献１】特許第３９４１９６１号公報
【発明の開示】
【発明が解決しようとする課題】
【０００３】
特許文献１に記載の発明は、部品点数が多く、それに伴つて構造が複雑なものとなっている。そこで本発明は構造の簡略化及び強度の増大と生産コストの低減を図ると共に組み立ての容易性を図るものである。
【課題を解決するための手段】
【０００４】
木造及び鉄骨造建築物の土台を載せる複数個の構台ＨＳをコンクリ−ト基礎の上方に離隔して設け、対向する構台ＨＳ間に複数の横長金属板を縦方向へ重ね合わせ連結した本体Ａを取り付け、本体Ａを支持する複数の横長金属板を縦方向へ重ね合わせた支持体Ｂと、支持体Ｂと本体Ａとの間に介挿する複数の支持体ＢＳを設けると共に支持体ＢＳに形成している斜面同士を圧接させて本体Ａに取り付け、本体Ａと支持体Ｂにシャフトリード長孔ＳＲを設けシャフトＳを遊嵌して支持体Ｂを本体Ａに摺動可能に連結し、コンクリ−ト基礎にアンカーボルトＡＢで固着する基礎ベースプレートＣＳ上に支持体ベースプレートＣを水平方向へ摺動可能に連結すると共に支持体ベースプレートＣの上面に支持体Ｂを立設し、基礎ベースプレートＣＳから伝わる上下動と水平動の全方位にわたる震動を免震した。
【０００５】
支持体ＢＳを、それぞれの接触端面を斜面に形成した複数の部材に分割すると共に本体Ａに固着する支持体ＢＳと、シャフトＳを遊嵌した支持体ＢＳの斜面同士を圧接させて固着し、支持体ベースプレートＣを基礎ベースプレートＣＳにリードアンカーＬＡで摺動可能に連結し且つ、リードアンカーＬＡを遊嵌するリードアンカー長孔ＬＡＨを支持体ベースプレートＣのＹ方向へ設けると共に基礎ベースプレートＣＳのＸ方向へ設け、リードアンカーＬＡがリードアンカー長孔ＬＡＨ内を遊動することによりＸ方向とＹ方向へわたる全方位への水平動を吸収して免震した。
【０００６】
更にＸ方向とＹ方向の強震に対して支持体ベースプレートＣと基礎ベースプレートＣＳの間に設けた空所に緩挿している丸鋼バネＳＰの緩衝増幅作用により免震した。
【０００７】
本発明をこのように構成して構造の簡略化及び強度の増大並びに生産コストの低減と、併せて組み立ての容易性を図ることを目的とする。
【発明を実施するための最良の形態】
【０００８】
図１は本発明の外観を示す正面図、図２は本発明の組立てシステムを示す正面図、
図３は同、中央部縦断面図、図４の上半部は本体Ａ２を示す正面図、同下半部は本体Ａ１を示す正面図、図５は本体ＡＳの裏側に支持体Ｂ１を固着した状態を示す正面図、図６は支持体ＢＳ１、ＢＳ２及びＢＳ３の圧接状態を示す正面図、図７は支持体Ｂ１、Ｂ２及びＢ３を示す正面図と、本体Ａに固着したシャフトＳ１を支持体Ｂ１のシャフトリード孔ＳＲ１に遊嵌すると共にシャフトＳ２を支持体Ｂ１のシャフトリード孔ＳＲ２に遊嵌した状態を示す正面図、図８の下半部は支持体ベースプレートＣに設けたリードアンカー長孔ＬＡＨにリードアンカーＬＡを遊動可能に嵌挿した状態を示す平面図、上半部は基礎ベースプレートＣＳに設けたリードアンカー長孔ＬＡＨにリードアンカーＬＡを遊動可能に嵌挿した状態を示す平面図、図９は図８におけるＹ−Ｙ断面図、図１０は支持体ベースプレートＣと基礎ベースプレートＣＳの間に設けた空所に緩挿している丸鋼バネＳＰの他の実施例を示す平面図、図１１は図１０におけるＸ−Ｘ断面図、図１２は図１０におけるＹ−Ｙ断面図である。
【０００９】
本体Ａは、１枚の芯板Ａ２と、芯板Ａ２の両側面に取り付ける２枚の側板Ａ１と、中間に支持体ＢＳを介挿して支持体Ｂ１、支持体Ｂ２の両側面に取り付ける２枚の押え板ＡＳと、芯板Ａ２の先端部に取り付ける２枚の挟み板Ａ３と、挟み板Ａ３を構台に取り付けるためのアングル型の４枚の取付け板Ａ４とから構成される。
【００１０】
本体Ａを支える支持体Ｂは、２枚の支持体Ｂ１と、本体Ａ１の側面両端部に連結する４枚の支持体Ｂ２と、支持体Ｂ１を支持体ベースプレートＣに取り付けるアングル型の２枚の支持体Ｂ３とから構成され、支持体Ｂ１及び支持体Ｂ２の外側面に押え板ＡＳを挟着する。
【００１１】
支持体Ｂと共に本体Ａを支える支持体ＢＳは本体Ａ１と支持体Ｂ１並びに支持体Ｂ２の中間に２枚づつ重ねて介挿される複数のスペーサーであり、略二等辺三角形の斜辺が形成する斜面Ａを有する４枚の支持体ＢＳ１は本体Ａに固着されると共に本体ＡにシャフトＳ１を固着し、支持体ＢＳ１の斜面Ａに圧接する斜面Ｂを形成し、該斜面Ｂと平行する斜面Ｃを形成した８枚の支持体ＢＳ３にシャフトＳ２を固着する。支持体ＢＳ３の斜面Ｃに圧接する斜面Ｄを形成した８枚の支持体ＢＳ２を支持体Ｂ２に固着して強度を増大させ、本体Ａの受ける荷重を支持体ＢＳ３に伝えると共に支持体ＢＳ３が静止したとき本体Ａの水平動と上下動を免震する。
【００１２】
シャフトＳは、本体Ａ１、Ａ２及びＡＳに固着する１本のシャフトＳ１と、支持体ＢＳ３に固着する２本のシャフトＳ２とからなり、シャフトＳ２は本体Ａ１、Ａ２及びＡＳに八字形に設けている２条の斜めのシャフトリード孔ＳＲ３と、支持体Ｂ１の両側部に設けている横のシャフトリード孔ＳＲ２に遊嵌され、シャフトＳ１は支持体Ｂ１の中央部に設けている縦のシャフトリード孔ＳＲ１に遊嵌されている。
【００１３】
支持体ベースプレートＣは上下に重ね合わせた２枚の支持体ベースプレートＣ１、支持体ベースプレートＣ２及び支持体ベースプレートＣ２の下面に取り付ける１枚のステンレス材の滑り板Ｃ３とからなり、コンクリート基礎にアンカーボルトＡＢで固着する基礎ベースプレートＣＳは上下に重ね合わせた２枚の基礎ベースプレートＣＳ１、基礎ベースプレートＣＳ２及びコンクリート基礎に接する裏板ＣＳ３とからなり、支持体ベースプレートＣと基礎ベースプレートＣＳをリードアンカーＬＡで摺動可能に連結し且つ、リードアンカーＬＡ同士を繋ぎ板３で一体的に連結する。
【００１４】
リードアンカーＬＡを遊嵌するリードアンカー長孔ＬＡＨを支持体ベースプレートＣ１とＣ２のＹ方向へ設けると共に基礎ベースプレートＣＳ１とＣＳ２のＸ方向へ設け、リードアンカーＬＡがリードアンカー長孔ＬＡＨ内を遊動することによりＸ方向とＹ方向へわたる全方位への水平動を吸収して免震し、Ｘ方向の強震に対しては支持体ベースプレートＣ２と基礎ベースプレートＣＳ２の間に設けた空所１に緩挿している丸鋼バネＳＰの緩衝作用により、Ｙ方向の強震に対しては支持体ベースプレートＣ１と基礎ベースプレートＣＳ１の間に設けた空所１に緩挿している丸鋼バネＳＰの緩衝作用で免震作用を増幅させる。
【００１５】
シャフトリード長孔ＳＲは振巾２５０ミリの水平動に対応し、より振幅が大きい水平動に対応するため丸鋼バネＳＰ（Φ１３ミリ）のもの３本１組を束ね、片方の振巾１２５ミリのうち、７５ミリをシャフトリード長孔ＳＲ２で吸収し、残る振巾５０ミリを丸鋼バネＳＰで吸収するのである。
【００１６】
木造及び鉄骨造の建物の土台を載せるＨ型鋼からなる構台ＨＳからの荷重を支えている本体Ａの上下動による下降を制止するため、支持体ＢＳ１に設けられた斜面Ａと支持体ＢＳ３に設けられた斜面Ｂ及び支持体ＢＳ３に設けられた斜面Ｃ及び支持体ＢＳ２に設けられた斜面Ｄの圧接から生ずる滑降力は水平動に変わるが、本体Ａ１、Ａ２及びＡＳに固着され且つ支持体Ｂ1に設けた縦方向のシャフトリード長孔ＳＲ１に遊嵌されているシャフトＳ１の下降が、支持体ＢＳ３に固着され且つ本体Ａに設けている斜めのシャフトリード長孔ＳＲ３にも当接することで上記水平動も制止されるため、建物の静止状態が確保され安定する。
【００１７】
基礎ベースプレートＣＳに連結されている支持ベースプレートＣから伝わる上下動は支持体Ｂ1に伝播し支持体Ｂ1の動きは、支持体ＢＳ２、支持体ＢＳ３及び支持体ＢＳ１の動きとなるが、支持体ＢＳに設けている斜面同士の圧接によつて上下動は揺れ止まり、上記のように建物が静止状態となる。
【００１８】
前述の丸鋼バネＳＰによる地震動の緩衝と免震増幅作用の簡略化した他の実施例は図１０、図１１及び図１２に示すように、支持体ベースプレートＣ１と基礎ベースプレートＣＳ１の間に空所１を設けて丸鋼バネＳＰを緩挿し、リードアンカーＬＡを一体的に連結する押圧部材２が丸鋼バネＳＰを押圧して円弧状に撓ませ、その弾性により水平震動を緩衝すると共に吸収するのである。この装置を設けることで図８において記述した丸鋼バネＳＰの設置本数を半減できる。
【産業上の利用可能性】
【００１９】
構台の上に設けている土台に木造及び鉄骨造の建物を立てることにより、地震の水平動と上下動を吸収し揺れを抑え免震すると共に地震動の静止位置で建物を動かないように固定するため、建物や人畜及び建物内の什器類に被害を与えない著効がある。
【図面の簡単な説明】
【００２０】
【図１】本発明の外観を示す正面図。
【図２】本発明の組立てシステムを示す正面図。
【図３】同、中央部縦断面図。
【図４】上半部は本体Ａ２を示す正面図、同下半部は本体Ａ１を示す正面図。
【図５】本体ＡＳの裏側に支持体Ｂ１を固着した状態を示す正面図。
【図６】支持体ＢＳ１、ＢＳ２及びＢＳ３の圧接状態を示す正面図。
【図７】支持体Ｂ１、Ｂ２及びＢ３を示す正面図。
【図８】下半部は支持体ベースプレートＣに設けたリードアンカー長孔ＬＡＨにリードアンカーＬＡを遊動可能に嵌挿した状態を示す平面図、上半部は基礎ベースプレートＣＳに設けたリードアンカー長孔ＬＡＨにリードアンカーＬＡを遊動可能に嵌挿した状態を示す平面図。
【図９】図８におけるＹ−Ｙ断面図。
【図１０】支持体ベースプレートＣと基礎ベースプレートＣＳの間に設けた空所に緩挿している丸鋼バネＳＰの他の実施例を示す平面図。
【図１１】図１０におけるＸ−Ｘ断面図。
【図１２】図１０におけるＹ−Ｙ断面図。
【符号の説明】
【００２１】
本体Ａ
Ａ1−側板  Ａ2−芯板  Ａ3−挟み板  Ａ4−取り付け板
支持体Ｂ
Ｂ1  Ｂ2  Ｂ3（アングル）
支持体ＢＳ（スペーサー）
ＢＳ1  斜面Ａ  
ＢＳ2  斜面Ｄ
ＢＳ3  斜面Ｂ，斜面Ｃ
支持体ベースプレートＣ
Ｃ1  Ｃ2  Ｃ3（滑り板）
基礎ベースプレートＣＳ
ＣＳ1  ＣＳ2  ＣＳ3（裏板）
シャフトＳ
Ｓ1  Ｓ2
シャフトリード長孔ＳＲ
ＳＲ1  縦方向  ＳＲ2  横方向    ＳＲ3  斜め方向  
ＨＳ−構台  ＡＢ−アンカーボルト  ＣＰ−繋ぎ板  ＬＡ−リードアンカー
ＬＡＨ−リードアンカー長孔  ＳＰ−丸鋼バネ
1−空所  2−押圧部材
【図１】
2010156101.tif 000003
【図２】
2010156101.tif 000004
【図３】
2010156101.tif 000005
【図４】
2010156101.tif 000006
【図５】
2010156101.tif 000007
【図６】
2010156101.tif 000008
【図７】
2010156101.tif 000009
【図８】
2010156101.tif 000010
【図９】
2010156101.tif 000011
【図１０】
2010156101.tif 000012
【図１１】
2010156101.tif 000013
【図１２】
2010156101.tif 000014